(57)【特許請求の範囲】
【請求項１】
導電性材料で構成され、衝撃を受けることが予想される衝撃予想部位としての突出部を有する壁部と、
壁部で囲まれる内部空間であって、予め定めた高圧部配置部位に配置される高圧部、及び少なくとも突出部に対応する内部空間に配置される絶縁配線を収納する内部空間と、
を備え、
壁部の突出部は、所定の幅寸法と所定の壁厚とを有する２つの部材が互いにＸ字状に交差するリブ形状で構成され、リブ形状を構成する各部材の壁厚は、壁部の他の部位の壁厚よりも厚く、
絶縁配線同士の隙間寸法は、リブ形状の幅寸法よりも小さく、また突出部の壁厚よりも小さく設定されることを特徴とする高圧部収納筐体。
【請求項２】
請求項１に記載の高圧部収納筐体において、
外部から受ける衝撃力を想定衝撃力として想定し、壁部の突出部の破壊モードを予測し、予測破壊モードから予測される突出部の破片の大きさを想定破片大きさとして別途予め求めておき、
突出部の所定の幅寸法は、別途求められた想定破片大きさの寸法よりも大きな寸法に設定されることを特徴とする高圧部収納筐体。
【請求項３】
請求項１に記載の高圧部収納筐体において、
アルミニウムまたはアルミニウム合金を材料として、ダイキャスト法により成型した上部筐体と下部筐体を組み合わせて一体化し、密閉容器状としたことを特徴とする高圧部収納筐体。
【請求項４】
請求項１に記載の高圧部収納筐体において、
突出部以外の他の部位の壁部の壁厚は、数ｍｍであることを特徴とする高圧部収納筐体。
【発明の詳細な説明】
【技術分野】
【０００１】
本発明は、高圧部収納筐体に係り、特に、高電圧となる部材である高圧部を内部に収容する導電性材料で構成される高圧部収納筐体に関する。
【背景技術】
【０００２】
回転電機を搭載する車両には、インバータ等の高電圧回路が備えられる。高電圧回路は、外部からの衝撃からの保護、高電圧部分の外部からの分離、冷却等を考慮して、適切な強度を有する金属製の筐体に、電気的絶縁を取りながら収納される。
【０００３】
例えば、特許文献１には、車両搭載機器であるインバータの固定構造として３箇所のボルト止めが述べられている。そして、インバータが車両本体の前方側から後方側に向けて所定以上の押圧力で押圧されると、固定部材との間を止めているボルトが破断し、サイドメンバ固定部に設けられた切欠との間を止めているボルトは切欠から外れ、案内部材に設けられたスリットとの間を止めているボルトはスリットから外れ、インバータが車両本体の後方側に移動することが述べられている。これによって、インバータの耐衝撃性が図られている。
【０００４】
特許文献２には、ハイブリッド車が前面衝突時に、ラジエータコアサポートが後方に移動してインバータと干渉することから保護する緩衝構造が述べられている。ここでは、インバータの前面に、ラジエータコアサポートとの間に隙間を開けながら、ブラケットを介してインバータ保護バンパ等の緩衝部材を設けることが開示されている。インバータ保護バンパに代えて、エンジンコントロールユニット、吸気装置であるレゾネータを用いることも述べられている。
【０００５】
なお、本発明に関連する技術として、特許文献３には、電力変換装置のケース体について、アルミニウム又はアルミニウム合金を溶融状態として高圧で金型内に流し込むダイキャスト成型すると、成型後にアルミニウム成型品の温度が下がったときに反りが発生し、反り矯正処理を行う必要があることを指摘している。ここでは、反り発生予想部の剛性を高めるために、その箇所の板厚を増強し、あるいは格子状のリブを設けることが述べられている。
【先行技術文献】
【特許文献】
【０００６】
【特許文献１】特開２００９−９０８１８号公報
【特許文献２】特開２００６−１１７０５１号公報
【特許文献３】特開２０１０−２３２４８７号公報
【発明の概要】
【発明が解決しようとする課題】
【０００７】
インバータ等の高圧部を収納する筐体は、耐衝撃性を考えて、適当な強度を有する金属材料で構成されることが多い。しかし、場合によっては、外部の衝撃のために筐体が破損することが生じ得る。その場合に、筐体の破片が、筐体内部に入り込むと、金属破片である筐体破片によって、例えば高圧部と筐体との間で予期せぬ短絡等が生じ得る。高圧部と筐体との間に短絡が生じると、筐体に高電圧が漏れる漏電となる恐れがある。
【０００８】
本発明の目的は、衝撃によって破損しても、破片が高圧部に到達することを抑止できる高圧部収納筐体を提供することである。
【課題を解決するための手段】
【０００９】
本発明に係る高圧部収納筐体は、導電性材料で構成され、衝撃を受けることが予想される衝撃予想部位としての突出部を有する壁部と、壁部で囲まれる内部空間であって、予め定めた高圧部配置部位に配置される高圧部、及び少なくとも突出部に対応する内部空間に配置される絶縁配線を収納する内部空間と、を備え、壁部の突出部は、所定の幅寸法と所定の壁厚とを有する２つの部材が互いにＸ字状に交差するリブ形状で構成され、リブ形状を構成する各部材の壁厚は、壁部の他の部位の壁厚よりも厚く、絶縁配線同士の隙間寸法は、リブ形状の幅寸法よりも小さく、また突出部の壁厚よりも小さく設定されることを特徴とする。
【００１１】
また、本発明に係る高圧部収納筐体において、外部から受ける衝撃力を想定衝撃力として想定し、壁部の突出部の破壊モードを予測し、予測破壊モードから予測される突出部の破片の大きさを想定破片大きさとして別途予め求めておき、突出部の所定の幅寸法は、別途求められた想定破片大きさの寸法よりも大きな寸法に設定されることが好ましい。
【００１２】
また、本発明に係る高圧部収納筐体において、アルミニウムまたはアルミニウム合金を材料として、ダイキャスト法により成型した上部筐体と下部筐体を組み合わせて一体化し、密閉容器状としたことが好ましい。
また、本発明に係る高圧部収納筐体において、突出部以外の他の部位の壁部の壁厚は、数ｍｍであることが好ましい。
【発明の効果】
【００１３】
上記構成により、高圧部収納筐体の壁部は、衝撃を受けることが予想される衝撃予想部位の壁厚について、予め想定した大きさの想定衝撃力によって衝撃予想部位が破片となるときに、その破片が予め定めた想定破片大きさ以上となるように設定された壁厚を有し、筐体の内部空間において、壁部の衝撃予想部位と高圧部配置部位との間に、想定破片大きさの破片が通り抜けることを防止する破片通過抑止部材が配置される。これにより、衝撃によって筐体が破損しても、破片が高圧部に到達することを抑止できる。
【００１４】
また、破片通過抑止部材は、収納空間内に配置される絶縁配線である。したがって、内部破線の配置を工夫することで、衝撃によって筐体が破損しても、破片が高圧部に到達することを効果的に抑止できる。
【００１５】
また、壁部の衝撃予想部位は、壁厚の厚い部分がリブ形状であって、リブ形状の幅寸法が想定破片大きさの寸法よりも大きな寸法である。衝撃予想部位の壁厚は他の部位よりも厚いので、耐衝撃性が高いが、衝撃によって仮に破損したときでも、その破片は、壁厚あるいはリブ形状の幅の大きさを有することが多い。上記構成のようにすることで、破片の大きさが想定破片大きさよりも大きくなるので、破片が破片通過抑止部材を通り抜けることがなくなる。
【００１６】
また、壁部の衝撃予想部位は、壁厚の厚い部分がＸ字状に交差するリブ形状である。Ｘ字状リブとすることで、衝撃を受ける部位の強度を集中的に高めることができ、また、仮に破損した場合でも、破片がリブの幅寸法よりも小さくなることを防ぐことができる。
【図面の簡単な説明】
【００１７】
【図１】本発明に係る実施の形態の高圧部収納筐体の構造を説明する図である。
【図２】本発明に係る実施の形態における高圧部の構成を説明する図である。
【図３】本発明に係る実施の形態の高圧部収納筐体について、衝撃テストを行った結果を説明する図である。
【図４】図３と比較するため、同様の衝撃テストを、従来技術の高圧部収納筐体について行った結果を説明する図である。
【発明を実施するための形態】
【００１８】
以下に図面を用いて本発明に係る実施の形態につき、詳細に説明する。以下では、高圧部収納筐体として、車両に搭載されるものを説明するが、高電圧となる高圧部を内部に収納する筐体であって、外部衝撃を受ける可能性を有するものであれば、車両搭載用でなくてもよい。例えば、高所に設置され落下衝撃を受ける可能性のあるものであってもよい。また、以下では、高圧部として、コンバータ、インバータ等を含む高電圧電源回路を説明するが、これは説明のための例示であって、例えばインバータのみであってもよい。
【００１９】
また、以下で説明する材質、形状、寸法等は、説明のための例示であって、高圧部収納筐体の仕様に応じて適宜変更が可能である。
【００２０】
以下では、全ての図面において同様の要素には同一の符号を付し、重複する説明を省略する。また、本文中の説明においては、必要に応じそれ以前に述べた符号を用いるものとする。
【００２１】
図１は、車両に搭載される高電圧電源回路２０を収納するための高圧部収納筐体１０の構造を説明する図である。図１には、高圧部収納筐体１０の正面図、平面断面図、側面断面図が示されている。図２は高電圧電源回路２０の構成を説明する図である。図１の平面断面図は、高圧部収納筐体１０の正面図の高さ方向のほぼ半分の高さで切断したときの様子を示し、側面断面図は、高圧部収納筐体１０の内部空間１４に配置される高電圧電源回路２０の中の主要な部品のところを結んで切断したときの様子を示す。
【００２２】
高圧部収納筐体１０は、アルミニウムまたはアルミニウム合金を材料として、ダイキャスト法によって成型した上部筐体と下部筐体を、組み合わせて一体化し、密閉容器状としたものである。高圧部収納筐体１０は、厚さが数ｍｍ程度の壁部１２と、壁部１２によって囲まれる内部空間１４を備える。アルミニウムまたはアルミニウム合金を用いるは、軽量化と適当な強度を併せ持つ材料であるためである。アルミニウムまたはアルミニウム合金に代えて、適当な剛性と強度を有する材料を用いてもよい。例えば、鋳鉄材等の金属材料を用いて所定の形状に成型したものを高圧部収納筐体１０として用いることができる。
【００２３】
内部空間１４に配置され収納される高圧部は、高電圧となる部品で、具体的には、高電圧電源回路２０を構成する高電圧部品である。図２に示されるように、高電圧電源回路２０は、蓄電装置２２と、回転電機２４との間に接続配置され、数百ボルトの高電圧で作動する電源回路である。
【００２４】
ここで、蓄電装置２２は、充放電可能な高電圧用蓄電装置である。かかる蓄電装置２２としては、リチウムイオン組電池、ニッケル水素組電池等の２次電池、高電圧用キャパシタを用いることができる。なお、組電池は、単電池または電池セルと呼ばれる端子電圧が１Ｖから数Ｖの電池を複数個組み合わせて、上記の所定の端子電圧を得るようにしたものである。蓄電装置２２の両端子間電圧は、例えば、２００Ｖ程度である。
【００２５】
回転電機２４は、車両に搭載されるモータ・ジェネレータ（Ｍ／Ｇ）であって、インバータ３４を含む電源回路部から電力が供給されるときはモータとして機能し、図示されていないエンジンによる駆動時、あるいは車両の制動時には発電機として機能する３相同期型回転電機である。
【００２６】
高電圧電源回路２０の電圧変換器２８は、蓄電装置２２とインバータ３４の間に配置され、コンバータとも呼ばれる直流電圧変換機能を有する回路である。電圧変換器２８は、リアクトルと、スイッチング素子を含んで構成される。電圧変換機能としては、蓄電装置２２側の電圧をリアクトルのエネルギ蓄積作用を利用して昇圧しインバータ３４側に供給する昇圧機能と、インバータ３４側からの電力を蓄電装置２２側に降圧して充電電力として供給する降圧機能とを有する。インバータ３４に供給される昇圧電圧としては、例えば、６００Ｖ程度である。
【００２７】
平滑コンデンサ２６，３０は、それぞれ、蓄電装置２２側、インバータ３４側の電圧、電流を平滑化する作用を有する容量素子である。
【００２８】
インバータ３４は、回転電機２４に接続される回路で、複数のスイッチング素子と逆接続ダイオード等を含んで構成され、交流電力と直流電力との間の電力変換を行う機能を有する。すなわち、インバータ３４は、回転電機２４を発電機として機能させるときは、回転電機２４からの交流３相回生電力を直流電力に変換し、蓄電装置２２側に充電電流として供給する交直変換機能を有する。また、回転電機２４をモータとして機能させるときは、蓄電装置２２側からの直流電力を交流３相駆動電力に変換し、回転電機２４に交流駆動電力として供給する直交変換機能を有する。
【００２９】
放電抵抗３２は、高電圧電源回路２０の動作を停止するときに、平滑コンデンサ３０に蓄積されている電荷を放電するための抵抗素子である。
【００３０】
高圧部は、上記の電圧変換器２８、インバータ３４、平滑コンデンサ２６，３０、放電抵抗３２のように、数百Ｖの高電圧となる部品のことである。高圧部は、高圧部収納筐体１０の壁部１２に囲まれた内部空間１４において、予め定めた高圧部配置部位に配置して収納される。なお、図１の側面断面図において示される内部配線３６は、高電圧電源回路２０の配線部材で、外周が絶縁被覆される高電圧配線である。
【００３１】
再び図１に戻り、高圧部収納筐体１０は、外部衝撃から高圧部を保護するために、適当な強度を有する壁厚の壁部１２で高圧部が配置される内部空間を形成する。高圧部収納筐体１０を車両に搭載するときは、その搭載位置によって、車両の衝突等によって受ける衝撃の方向がある程度予測できる。そこで、壁部１２のうちで、衝撃を受けることが予想される衝撃予想部位については、他の部位に比較して、その剛性を上げるように、壁厚を厚くする。
【００３２】
図１の正面図における中央部の突出部４０は、車両が道路に設けられるポールに側面衝突したときに外部衝撃を受けやすい部位である。そこで、これを衝撃予想部位１６として、その部分の壁厚が他の部位の壁厚に比較して厚く設定される。具体的には、図１の正面図に示されるように、突出部４０の部分がＸ字状に交差するリブ形状とされる。すなわち、Ｘ字状の部分の壁厚が厚いリブとなっている。
【００３３】
また、高圧部収納筐体１０の突出部４０のところにおける内部空間１４に配置される内部配線３６は、仮に、突出部４０が衝撃を受けて破損したときに、その破片が、内部空間１４内に入り込まないような配置とされる。すなわち、突出部４０のところの内部空間１４に配置される内部配線３６は、破片通過抑止部材として利用される。内部配線３６が破片通過抑止部材として不十分である場合には、網目状の耐熱絶縁性ネット等を破片通過抑止部材として配置するものとしてよい。
【００３４】
突出部４０の壁厚とリブ形状の幅寸法、破片通過抑止部材としての内部配線３６の配置については、破片が内部空間１４に入り込まないように、以下のように設定される。すなわち、車両が衝突等で受ける衝撃力を、車両の仕様等から予め想定する。予め想定される衝撃力の大きさを想定衝撃力とする。そして、その想定衝撃力が衝撃予想部位１６である突出部４０に加わったときに、突出部４０の壁厚とリブ形状の幅寸法で定まる剛性と破壊強さ等を用いて、突出部４０の破壊モードを予測する。破壊モードの予測は、シミュレーション計算、あるいは、ポール側突試験と呼ばれる衝撃テストまたはこれに相当する静圧縮試験を行うことで得ることができる。
【００３５】
つぎに、破壊モードから予測される突出部４０の破片の大きさを予測する。予測された破片の大きさを想定破片大きさとする。そして、内部配線３６の配置は、内部配線３６同士の隙間の寸法、内部配線３６と壁部１２との間の隙間の寸法が、想定破片大きさよりも小さくなるように設定される。上記のように、突出部４０をＸ字状のリブ形状とするときは、想定破片大きさの最小寸法は、壁厚あるいは、リブ形状の幅寸法となることが多い。例えば、内部配線３６における隙間寸法よりも、突出部４０の壁厚を厚くし、また、突出部４０のリブ形状の幅寸法を、内部配線３６における隙間寸法よりも大きくすることで、破片の大きさを想定破片大きさよりも大きくすることができる。
【００３６】
このようにすることで、想定衝撃力を突出部４０が受けて、突出部４０が破片となるときでも、その破片が破片通過抑止部材である内部配線３６における隙間を通過することを効果的に抑止できる。
【００３７】
上記構成の作用効果について図３を用いて説明する。ここでは、予め定めた仕様のポール側突試験に対応するように、剛体治具を用いて静圧縮力を突出部４０に印加して、高圧部収納筐体１０の損傷の様子を調べた結果が示されている。なお、比較のため、図４には、従来技術の構造を有する高圧部収納筐体１１を用いて、同様の評価を行ったときの結果が示されている。従来技術の構造においては、突出部５０にリブ形状が設けられず、突出部５０の壁厚と他の部位の壁厚は同じである。
【００３８】
図３の上段の図は、高圧部収納筐体１０の初期状態における正面図で、図１の正面図と同じである。下段の図は、剛体治具を用いて予め定めた静圧縮力を突出部４０に印加した後の様子を示す図である。図３に示されるように、突出部４０は、Ｘ字状のリブ形状において、幅方向に割れ目４２が生じるが、破片が生じるまでの損傷となっていない。図３の結果から、仮に、この割れ目から、破片が生じたとして、予測される破片の大きさは、６０ｍｍ×４５ｍｍ×７ｍｍ程度が最小であった。
【００３９】
比較例の図４において、上段の図は、静圧縮力を印加する前の初期状態である。中段の図は、剛体治具を用いて予め定めた静圧縮力を突出部５０に印加した後の様子を示す図である。ここに示されるように、突出部５０に相当する部分が破壊して、空洞５２が開口している。図４の下段の図は、この空洞形成に伴って生じた複数の破片５４，５６，５８の様子を示す図である。破片５４は、空洞５２の大部分に相当する壁部であり、破片５６は破片５６よりも小さいがある程度の大きさを有する破片である。破片５８は、壁部１２の壁厚に相当する大きさの寸法を有する小さな破片である。最も小さい破片５８の寸法は、２０ｍｍ×１０ｍｍ×１０ｍｍであった。
【００４０】
なお、従来技術の高圧部収納筐体１１について、予め定めた仕様のポール側突試験を行ったところ、図４とほぼ同様の破壊が突出部５０のところに生じ、空洞が形成され、多くの破片が生じた。この結果から、上記の剛体治具を用いた静圧縮力印加試験は、予め定めた仕様のポール側突試験と同等の内容を有する試験と考えてよい。
【００４１】
このように、従来技術の高圧部収納筐体１１においては、衝撃によって２０ｍｍ×１０ｍｍ×１０ｍｍ程度の小さな破片５８が生じる。このような小さな破片５８は、高圧部収納筐体１１の内部空間に容易に入り込み、その内部空間に配置される高圧部に接触し、高圧部と高圧部収納筐体１１の内壁との間に短絡を生じさせる恐れが生じる。これに対し、図３で示されるように、リブ形状の突出部４０を有する高圧部収納筐体１０においては、割れ目４２が生じるが破片は生じない。その割れ目から生じ得る破片の大きさは、６０ｍｍ×４５ｍｍ×７ｍｍ程度で、従来技術の場合に生じる破片５８に比べ、体積で約１０倍大きい。そして、この大きさの破片が通り抜けないように、内部配線２６が内部空間１４に配置される。破片の大きさを従来技術に比べ、格段に大きくできるので、内部配線２６が破片通過抑止部材として、効果的に作用し、内部空間１４に破片が入り込むことを十分に抑止できる。
【産業上の利用可能性】
【００４２】
本発明に係る高圧部収納筐体は、車両に搭載される高電圧電源回路を収納する筐体として利用できる。
【符号の説明】
【００４３】
１０，１１  高圧部収納筐体、１２  壁部、１４  内部空間、１６  衝撃予想部位、２０  高電圧電源回路、２２  蓄電装置、２４  回転電機、２６，３０  平滑コンデンサ、２８  電圧変換器、３０  平滑コンデンサ、３２  放電抵抗、３４  インバータ、３６  内部配線、４０，５０  突出部、４２  割れ目、５２  空洞、５４，５６，５８  破片。
【図１】
0005609659.tif 000002
【図２】
0005609659.tif 000003
【図３】
0005609659.tif 000004
【図４】
0005609659.tif 000005